(57)【特許請求の範囲】
【請求項１】
破砕機（３）内へ廃棄物（Ｗ）を供給する供給コンベヤ（４）の上側に形成した廃棄物用通路（Ｓ）内に供給コンベヤ（４）の長手方向へ沿って揺動自在に配設され、廃棄物用通路（Ｓ）を開閉する爆風遮断板（１３）と、爆風遮断板（１３）に設けられ、爆風遮断板（１３）が廃棄物用通路（Ｓ）内を搬送される廃棄物（Ｗ）へ軽く接触する状態で廃棄物（Ｗ）を通過させることができるように爆風遮断板（１３）をバランス調整するカウンターウエイト（１４）とから成り、前記爆風遮断板（１３）は、破砕機（３）内での爆発により発生した爆風によって廃棄物用通路（Ｓ）を閉鎖するように構成されていることを特徴とする爆風遮断装置。
【請求項２】
爆風遮断板（１３）の先端部側を、廃棄物（Ｗ）の搬送がスムースに行えるように廃棄物（Ｗ）の搬送方向へ折り曲げたことを特徴とする請求項１に記載の爆風遮断装置。
【請求項３】
廃棄物用通路（Ｓ）内に爆風遮断板（１３）を複数枚配設し、各爆風遮断板（１３）にカウンターウエイト（１４）を夫々設けたことを特徴とする請求項１又は請求項２に記載の爆風遮断装置。
【発明の詳細な説明】
【０００１】
【発明の属する技術分野】
本発明は、粗大ごみ、不燃ごみ、建築廃材等の廃棄物を破砕処理する破砕機を備えた廃棄物処理施設に用いられるものであり、特に廃棄物の受入供給設備から破砕機へ廃棄物を供給する搬送設備に設けられ、破砕機内での爆発により発生した爆風が受入供給設備側で作業している作業者に危害を及ぼすのを防止できるようにした爆風遮断装置に関するものである。
【０００２】
【従来の技術】
一般に、粗大ごみや不燃ごみ等の廃棄物は、廃棄物処理施設の破砕機によって破砕処理された後、鉄やアルミニウム等の有価物、紙やプラスチック等の可燃物、土砂やガラス等の不燃物に分別処理されている。
【０００３】
図３は破砕機を備えた廃棄物処理施設の一部を示すものであり、トラック２０によりプラットホーム２１、受入ホッパ２２及び貯留コンベヤ２３等から成る廃棄物Ｗの受入供給設備２４へ搬入された廃棄物Ｗは、供給コンベヤ２５及びフード２６等から成る搬送設備２７により破砕機２８へ供給され、ここで一定の大きさ以下に破砕処理された後、搬出コンベヤ２９及び搬送コンベヤ３０等から成る搬送設備３１により選別装置（図示省略）へ送られて選別処理されるようになっている。
【０００４】
ところで、廃棄物処理施設の破砕機２８内に於いては、廃棄物Ｗ中に可燃性ガスや揮発性液体が残留するガスボンベやスプレー缶等の容器が混入していることがある為、廃棄物Ｗの破砕中にしばしば爆発事故が発生することがあった。この爆発の原因は、高速回転しているハンマーの衝撃によって発生する火花が破砕された容器から漏れた可燃性ガス等に引火するからである。
【０００５】
そこで、従来の廃棄物処理施設に於いては、破砕機２８前後に設置した搬送設備２７，３１のフード２６に爆風逃し筒３２及び爆風逃し扉３３を設け、爆発時に発生する爆風を系外へ逃がすようにしている。
又、破砕機２８内での爆発を防止する手段として、破砕機２８内部を換気したり、破砕機２８内へ水蒸気や不活性ガスを吹き込んだりすることが行われている。
【０００６】
【発明が解決しようとする課題】
しかし、破砕機２８内で爆発が実際に発生した場合、その爆発の大きさによっては上述した爆風逃し筒３２及び爆風逃し扉３３だけでは、全ての爆風を逃しきることができず、爆風が搬送設備２７のフード２６内を経て廃棄物Ｗの受入供給設備２４側まで達し、受入供給設備２４で作業している作業者にまで危害を及ぼす虞れがあった。
【０００７】
本発明は、このような問題点に鑑みて為されたものであり、その目的は、破砕機内での爆発により発生した爆風が受入供給設備側の作業者に危害を及ぼすのを防止できるようにした爆風遮断装置を提供することにある。
【０００８】
【課題を解決するための手段】
上記目的を達成する為に、本発明の請求項１に記載の爆風遮断装置は、破砕機内へ廃棄物を供給する供給コンベヤの上側に形成した廃棄物用通路内に供給コンベヤの長手方向へ沿って揺動自在に配設され、廃棄物用通路を開閉する爆風遮断板と、爆風遮断板に設けられ、爆風遮断板が廃棄物用通路内を搬送される廃棄物へ軽く接触する状態で廃棄物を通過させることができるように爆風遮断板をバランス調整するカウンターウエイトとから成り、破砕機内での爆発により発生する爆風によって、前記爆風遮断板が廃棄物用通路を閉鎖するように構成したことに特徴がある。
【０００９】
又、本発明の請求項２に記載の爆風遮断装置は、爆風遮断板の先端部側を、廃棄物の搬送がスムースに行えるように廃棄物の搬送方向へ折り曲げたことに特徴がある。
【００１０】
更に、本発明の請求項３に記載の爆風遮断装置は、廃棄物用通路内に爆風遮断板を複数枚配設し、各爆風遮断板にカウンターウエイトを夫々設けたことに特徴がある。
【００１１】
【発明の実施の形態】
以下、本発明の実施の形態を図面に基づいて詳細に説明する。
図１は本発明の実施の形態に係る爆風遮断装置１を設けた廃棄物処理施設の一部分を示すものであって、当該廃棄物処理施設は、廃棄物Ｗの受入供給設備（図示省略）へ搬入された廃棄物Ｗ（粗大ごみや不燃ごみ、建築廃材等）を搬送設備２により破砕機３へ供給し、ここで廃棄物Ｗを一定の大きさ以下に破砕処理した後、破砕機３の後側に設置した搬送設備により選別装置（何れも図示省略）へ送って選別処理するようにしたものであり、破砕機３の前側の搬送設備２に配設した爆風遮断装置１によって、破砕機３内での爆発により発生した爆風が受入供給設備側へ達するのを防止したり、或いは爆風が受入供給設備側の作業者を直撃するのを防止するようにしたものである。
【００１２】
前記廃棄物Ｗの受入供給設備は、図示していないが、廃棄物Ｗを積載したトラックが出入りするプラットホームと、プラットホームに隣接して形成された廃棄物Ｗを貯留するごみピットと、ごみピット内の廃棄物Ｗを搬送設備２へ投入する供給クレーン（例えばバケットクレーン）等から構成されている。
【００１３】
破砕機３の前側に設置した搬送設備２は、廃棄物Ｗの受入供給設備と破砕機３との間に配設された供給コンベヤ４及び供給コンベヤ４を覆うフード５等から構成されている。
【００１４】
即ち、前記供給コンベヤ４は、廃棄物Ｗの受入供給設備と破砕機３との間に、終端部側（図１の左側）が始端部側（図１の右側）よりも高くなる傾斜姿勢でもって配設されて居り、駆動装置６（モータ及び伝動機構等から成る）により図１の矢印方向へ駆動され、廃棄物Ｗの受入供給設備側から供給された廃棄物Ｗを破砕機３へ供給するものである。この供給コンベヤ４には、従来公知のエプロンコンベヤやパンコンベヤが使用されている。
【００１５】
一方、前記フード５は、供給コンベヤ４の周囲を覆うように供給コンベヤ４と同じ傾斜姿勢でもって配設されて居り、供給コンベヤ４の上側に廃棄物Ｗを破砕機３へ導く為の廃棄物用通路Ｓを形成するものである。
即ち、フード５は、鋼板製の天井板５ａ、側板５ｂ及び底板５ｃにより断面形状が矩形の長い筒状に形成されて居り、天井板５ａと両側板５ｂと供給コンベヤ４との間で囲まれた空間が廃棄物用通路Ｓとなるように供給コンベヤ４を覆っている。
このとき、フード５の両側板５ｂと供給コンベヤ４との間隙及びフード５の底板５ｃと供給コンベヤ４との間隙は、破砕機３内での爆発により発生した爆風がこれらの間隙を通って廃棄物Ｗの受入供給設備側へ到達しないように夫々選定されている。
更に、フード５の始端部側（図１の右側）には、供給コンベヤ４の始端部側へ廃棄物Ｗを供給する受入ホッパ７が、又、フード５の終端部側（図１の左側）には、供給コンベヤ４の終端部側を覆うと共に供給コンベヤ４の終端から落下排出される廃棄物Ｗを破砕機３へ導く為の供給通路を形成する鋼板製のケーシング８が夫々接続されている。
【００１６】
そして、フード５の略中間部の天井板５ａ及びケーシング８の上壁部には、破砕機３内での爆発により発生した爆風を系外へ逃す為の鋼板製の爆風逃し筒９，１０と、爆風逃し筒９，１０の開口を自重により閉塞する鋼板製の爆風逃し扉１１，１２とが夫々設けられている。
又、フード５の天井板５ａには、図２に示す如く、後述する爆風遮断装置１の爆風遮断板１３を廃棄物用通路Ｓ内へ挿入する為の開口５ｄが一定の間隔を開けて形成されている。この各開口５ｄは、受入ホッパ７と爆風逃し筒９との間の天井板５ａ部分に形成されて居り、蓋体５ｅにより気密状に閉鎖されるようになっている。
【００１７】
前記破砕機３は、供給コンベヤ４から供給された廃棄物Ｗを一定の大きさ以下に破砕処理するものであり、供給コンベヤ４の終端部下方位置に配置され、その入口側がケーシング８に気密状に接続されている。この破砕機３には、従来公知の回転式破砕機や剪断式破砕機が使用されている。
【００１８】
本発明の実施の形態に係る爆風遮断装置１は、廃棄物用通路Ｓ内に供給コンベヤ４の長手方向へ沿って揺動自在に配設され、廃棄物用通路Ｓを開閉する爆風遮断板１３と、爆風遮断板１３に設けられ、爆風遮断板１３が廃棄物用通路Ｓ内を搬送される廃棄物Ｗへ軽く接触する状態で廃棄物Ｗを通過させることができるように爆風遮断板１３をバランス調整するカウンターウエイト１４とから構成されている。
【００１９】
具体的には、爆風遮断板１３は、破砕機３内での爆発により発生した爆風に耐えられるように鋼板材により形成されて居り、廃棄物用通路Ｓの断面積（フード５を長手方向から見た場合の廃棄物用通路Ｓの面積）よりも若干小さめで且つ廃棄物用通路Ｓの断面形状と略同じ形状に形成されている。
又、爆風遮断板１３の先端部側は、供給コンベヤ４による廃棄物Ｗの搬送をスムースに行えるように廃棄物Ｗの搬送方向（図２の左側方向）へ逆くの字状に折り曲げられている。
更に、爆風遮断板１３の基端部には、爆風遮断板１３をフード５側へ揺動自在に取り付ける為の支持軸１３ａが、又、爆風遮断板１３の片面側には、複数の補強用部材１３ｂが夫々取り付けられている。
【００２０】
そして、前記爆風遮断板１３は、これをフード５の天井板５ａに形成した開口５ｄから廃棄物用通路Ｓ内へ挿入し、その支持軸１３ａを開口５ｄを閉塞する蓋体５ｅに設けた軸受１５へ回転自在に支持させることによって、フード５の天井板５ａに略垂下姿勢で且つ供給コンベヤ４の長手方向へ沿って揺動自在に支持されている（図２参照）。
この実施の形態に於いては、爆風遮断板１３は、受入ホッパ７と爆風逃し筒９との間で且つ廃棄物用通路Ｓ内に二枚配設されて居り、各爆風遮断板１３は、供給コンベヤ４に対して略垂直姿勢となって廃棄物用通路Ｓを閉鎖する閉鎖位置（図２の実線位置）と、供給コンベヤ４に対して傾斜姿勢若しくは略平行姿勢となって廃棄物Ｗを通過させる開放位置（図２の一点鎖線位置）とに亘って揺動自在となっている。
又、各爆風遮断板１３は、図２に示す如く、閉鎖位置になったときにその基端部がフード５の天井板５ａの一部（開口５ｄの内周縁部）に当接し、閉鎖位置から供給コンベヤ４の始端部側へ揺動しないようになっている。
【００２１】
一方、カウンターウエイト１４は、金属部材により一定の重さを有する厚肉の筒状に形成されて居り、爆風遮断板１３の支持軸１３ａに直交姿勢で固定した支持棒１６に位置調節可能（移動調節可能）に嵌め込まれている。このカウンターウエイト１４は、これに螺挿した固定ネジ１７を締め付け調節することによって、支持棒１６の所定の位置へ固定したり、或いは支持棒１６に対して移動させたりすることができるようになっている。
尚、カウンターウエイト１４及び支持棒１６は、廃棄物用通路Ｓ内を搬送される廃棄物Ｗと衝突しないように支持軸１３ａに設けられて居り、爆風遮断板１３の揺動に伴ってフード５の天井板５ａに形成したスリット状の切欠５ｆを通ってフード５内へ出入りできるようになっている（図２の実線位置及び一点鎖線位置参照）。
【００２２】
そして、前記カウンターウエイト１４は、爆風遮断板１３の先端部が廃棄物用通路Ｓ内を搬送される廃棄物Ｗへ軽く接触する状態で廃棄物Ｗを通過させることができるように爆風遮断板１３をバランス調整している。
従って、供給コンベヤ４により廃棄物用通路Ｓ内を搬送される廃棄物Ｗは、爆風遮断板１３の下方位置を通過するときに爆風遮断板１３から抵抗を受けることが殆どなく、爆風遮断板１３の下方位置をスムースに通過することができる。
【００２３】
尚、この廃棄物処理装置に於いては、ケーシング８に設けた爆風逃し筒１０に破砕機３内での爆発時に於ける爆風を検出する爆発検知器１８を、又、フード５側若しくは爆風遮断板１３に爆発時に於ける爆風遮断板１３の作動を検出する検知器（図示省略）を夫々設け、各検知器１８からの検出信号に基づいて供給コンベヤ４の駆動を停止するようにしている。
【００２４】
而して、上記構成の廃棄物処理装置に於いて、廃棄物Ｗの受入供給設備から受入ホッパ７へ投入された廃棄物Ｗ（粗大ごみや不燃ごみ、建築廃材等）は、供給コンベヤ４の始端部側へ落下し、供給コンベヤ４により廃棄物用通路Ｓ内を図１の右下方より左上方へ搬送される。
【００２５】
供給コンベヤ４上の廃棄物Ｗは、各爆風遮断板１３の下方位置を通過する際に各爆風遮断板１３の下端部へ接触した状態で通過するこのとき、各爆風遮断板１３は、その先端部が供給コンベヤ４上の廃棄物Ｗを軽く撫でる程度になるようにカウンターウエイト１４によりバランス調整されている為、廃棄物Ｗに抵抗を与えることなく、廃棄物Ｗをスムースに通過させることができる。又、各爆風遮断板１３は、その先端部側が廃棄物Ｗの搬送方向へ逆くの字状に折り曲げられている為、廃棄物Ｗをよりスムースに通過させることができる。
【００２６】
供給コンベヤ４の終端部側に搬送された廃棄物Ｗは、供給コンベヤ４の終端から破砕機３内へ落下排出され、ここで一定の大きさ以下に破砕処理された後、引き続き搬送コンベヤ等から成る搬送設備（図示省略）により選別装置（図示省略）へ送られて選別処理されるようになっている。
【００２７】
そして、破砕機３内での廃棄物Ｗの破砕により破砕機３内で爆発が発生した場合、爆発により発生した爆風は、その一部分がケーシング８及びフード５に夫々設けた爆風逃し筒９，１０内へ入り込み、その風圧によって自重で閉じている爆風逃し扉１１，１２を開いて系外へ排出される。
【００２８】
一方、各爆風逃し筒９，１０及び爆風逃し扉１１，１２から系外へ排出されなかった爆風の一部分は、廃棄物用通路Ｓを通って各爆風遮断板１３に達し、その風圧により各爆風遮断板１３を閉鎖位置へ押圧する。即ち、各爆風遮断板１３は、爆発時の風圧により廃棄物用通路Ｓを閉塞する働きをし、閉塞位置で保持されることになる。
【００２９】
その結果、破砕機３内での爆発により発生した爆風が廃棄物Ｗの受入供給設備側へ達するのを防止できたり、或いは爆風の力が緩和され、爆風が受入供給設備側で作業している作業者を直撃するのを防止することができる。
これによって、破砕機３内での爆発により発生した爆風が廃棄物Ｗの受入供給設備側で作業している作業者に危害を及ぼすと云うことがなく、廃棄物処理施設の安全性が大幅に向上することになる。
特に、この廃棄物処理施設に於いては、爆風遮断板１３を廃棄物用通路Ｓ内に二枚配設するようにしている為、破砕機３内で大きな爆発が発生しても、爆風が廃棄物用通路Ｓを経て廃棄物Ｗの受入供給設備側へ達するのを確実に防止することができる。
又、この廃棄物処理施設に於いては、爆風遮断板１３をフード５に設けた爆風逃し筒９よりも上流側の廃棄物用通路Ｓ内に配設している為、廃棄物用通路Ｓ内を通過する爆風が爆風逃し筒９により弱められてから爆風遮断板１３へ達することになる。その結果、爆風遮断板１３は、爆風の直撃を受けることがなく、爆風による破損は緩和されるか若しくは皆無となる。
更に、この廃棄物処理施設に於いては、破砕機３内で爆発が発生すると、爆風逃し筒１０に設けた爆発検知器１８及びフード５側若しくは爆風遮断板１３に設けた検知器（図示省略）が作動し、検知器からの検出信号に基づいて制御装置（図示省略）が供給コンベヤ４を停止するようになっている為、安全性がより向上することになる。
【００３０】
尚、上記実施の形態に於いては、廃棄物用通路Ｓ内に二枚の爆風遮断板１３を配設するようにしたが、他の実施の形態に於いては、廃棄物用通路Ｓ内に一枚若しくは三枚以上の爆風遮断板１３を配設するようにしても良い。
【００３１】
上記実施の形態に於いては、爆風遮断板１３の先端部を逆くの字に折り曲げるようにしたが、他の実施の形態に於いては、爆風遮断板１３の先端部を円弧状に折り曲げるようにしても良く、或いは爆風遮断板１３を折り曲げずに直線状に形成するようにしても良い。
【００３２】
上記実施の形態に於いては、支持棒１６に筒状のカウンターウエイト１４を嵌め込み、カウンターウエイト１４を移動調節することによって、爆風遮断板１３のバランス調整を行うようにしたが、他の実施の形態に於いては、カウンターウエイト１４を支持棒１６に固定状態で取り付け、支持棒１６に固定するカウンターウエイト１４の重さのみによって爆風遮断板１３のバランス調整を行うようにしても良い。
【００３３】
【発明の効果】
上述の通り、本発明の請求項１に記載の爆風遮断装置は、供給コンベヤの上側に形成した廃棄物用通路内に、廃棄物用通路を開閉する爆風遮断板を配設し、破砕機内での爆発により発生した爆風によって爆風遮断板が廃棄物用通路を閉鎖するように構成している。
その結果、爆風遮断装置は、破砕機内での爆発により発生した爆風が廃棄物の受入供給設備側へ達するのを防止できたり、或いは廃棄物の受入供給設備側へ達する爆風を緩和したりすることができ、廃棄物の受入供給設備側で作業している作業者に危害を及ぼすのを防止することができる。延いては、廃棄物処理施設の安全性が大幅に向上することになる。
又、爆風遮断板にカウンターウエイトを設け、爆風遮断板が廃棄物用通路内を搬送される廃棄物へ軽く接触する状態で廃棄物を通過させることができるように爆風遮断板をバランス調整している為、爆風遮断板は廃棄物用通路内を搬送される廃棄物の移動を妨げることがなく、廃棄物をスムースに通過させることができる。
更に、爆風遮断板は、その先端部が廃棄物へ軽く接触し、廃棄物用通路を常に閉塞する格好になっている為、廃棄物用通路内を爆風が通過するときに爆風の風圧を瞬時に受けて廃棄物用通路を迅速且つ確実に閉鎖することになる。
【００３４】
本発明の請求項２に記載の爆風遮断装置は、爆風遮断板の先端部側を廃棄物の搬送方向へ折り曲げている為、廃棄物の搬送をよりスムースに行えることになる。
【００３５】
本発明の請求項３に記載の爆風遮断装置は、廃棄物用通路内に複数枚の爆風遮断板を配設するようにしている為、破砕機内での爆発により発生した爆風が廃棄物の受入供給設備側へ達するのをより確実に防止することができ、より一層安全性の向上を図れる。
【図面の簡単な説明】
【図１】本発明の実施の形態に係る爆風遮断装置を設けた廃棄物処理施設の一部分を示す一部切欠側面図である。
【図２】爆風遮断装置の拡大断面図である。
【図３】破砕機を備えた廃棄物処理施設の一部分を示す概略断面図である。
【符号の簡単な説明】
１は爆風遮断装置、３は破砕機、４は供給コンベヤ、１３は爆風遮断板、１４はカウンターウエイト、Ｗは廃棄物、Ｓは廃棄物用通路。
【図１】
0003764577.tif 000002
【図２】
0003764577.tif 000003
【図３】
0003764577.tif 000004